(57)【特許請求の範囲】
【請求項１】
第１周波数帯と第２周波数帯の２つの周波数帯で通信を行う移動通信端末であって、
前記２つの周波数帯での送受信が可能なメインアンテナと、
前記２つの周波数帯での送受信が可能なサブアンテナと、
前記第１周波数帯での送受信を行う第１メインフロントエンドと、
前記第１周波数帯での受信を行う第１サブフロントエンドと、
前記第２周波数帯での送受信を行う第２メインフロントエンドと、
前記第２周波数帯での受信を行う第２サブフロントエンドと、
第１メイン入出力部と第２メイン入出力部とメインアンテナ入出力部とを有し、前記第１周波数帯の信号は前記第１メイン入出力部と前記メインアンテナ入出力部との間を透過し、前記第２周波数帯の信号は前記第２メイン入出力部と前記メインアンテナ入出力部との間を透過し、前記メインアンテナ入出力部が前記メインアンテナに接続されたメインダイプレクサと、
第１サブ入出力部と第２サブ入出力部とサブアンテナ入出力部とを有し、前記第１周波数帯の信号は前記第１サブ入出力部と前記サブアンテナ入出力部との間を透過し、前記第２周波数帯の信号は前記第２サブ入出力部と前記サブアンテナ入出力部との間を透過し、前記サブアンテナ入出力部が前記サブアンテナに接続されたサブダイプレクサと、
前記第１メイン入出力部を前記第１メインフロントエンドに接続し、前記第１サブ入出力部を前記第１サブフロントエンドに接続した第1ストレート状態と、前記第１メイン入出力部を前記第１サブフロントエンドに接続し、前記第１サブ入出力部を前記第１メインフロントエンドに接続した第1クロス状態とを切り替える第１スイッチ部と、
前記第２メイン入出力部を前記第２メインフロントエンドに接続し、前記第２サブ入出力部を前記第２サブフロントエンドに接続した第２ストレート状態と、前記第２メイン入出力部を前記第２サブフロントエンドに接続し、前記第２サブ入出力部を前記第２メインフロントエンドに接続した第２クロス状態とを切り替える第２スイッチ部と、
を備え、
前記第１スイッチ部と前記第２スイッチ部の状態を、前記第１周波数帯の送信電力、前記第２周波数帯の送信電力、前記第１周波数帯の受信性能、前記第２周波数帯の受信性能に基づいて決定する
ことを特徴とする移動通信端末。
【請求項２】
請求項１記載の移動通信端末であって、
前記第１周波数帯の送信電力が小さいことを示す第１範囲であり、前記第２周波数帯の送信電力が小さいことを示す第２範囲のときには、前記第１スイッチ部を前記第１ストレート状態、前記第２スイッチ部を前記第２ストレート状態とし、
前記第１周波数帯の送信電力が前記第１範囲ではないときには、前記第１スイッチ部を第１ストレート状態とし、前記第２スイッチ部を前記第２ストレート状態と前記第２クロス状態のいずれにするかを、前記第２周波数帯の受信性能に基づいて決め、
前記第１周波数帯の送信電力が前記第１範囲であり、前記第２周波数帯の送信電力が前記第２範囲ではないときには、前記第２スイッチ部を前記第２ストレート状態とし、前記第１スイッチ部を前記第１ストレート状態と前記第１クロス状態のいずれにするかを、前記第１周波数帯の受信性能に基づいて決める
ことを特徴とする移動通信端末。
【請求項３】
請求項１記載の移動通信端末であって、
前記第１周波数帯の送信電力が小さいことを示す第１範囲であり、前記第２周波数帯の送信電力が小さいことを示す第２範囲のときには、前記第１スイッチ部を前記第１ストレート状態、前記第２スイッチ部を前記第２ストレート状態とし、
前記第１周波数帯の送信電力が前記第１範囲ではなく、前記第２周波数帯の送信電力が前記第２範囲のときには、前記第１スイッチ部を第１ストレート状態とし、前記第２スイッチ部を前記第２ストレート状態と前記第２クロス状態のいずれにするかを、前記第２周波数帯の受信性能に基づいて決め、
前記第１周波数帯の送信電力が前記第１範囲であり、前記第２周波数帯の送信電力が前記第２範囲ではないときには、前記第２スイッチ部を前記第２ストレート状態とし、前記第１スイッチ部を前記第１ストレート状態と前記第１クロス状態のいずれにするかを、前記第１周波数帯の受信性能に基づいて決め、
前記第１周波数帯の送信電力が前記第１範囲ではなく、前記第２周波数帯の送信電力が前記第２範囲ではないときには、前記第１スイッチ部と前記第２スイッチ部の状態を、前記第１周波数帯の受信性能と前記第２周波数帯の受信性能に基づいて決定する
ことを特徴とする移動通信端末。
【請求項４】
請求項１から３のいずれかに記載の移動通信端末であって、
前記第１スイッチ部が、
第１スイッチ素子、第２スイッチ素子、第３スイッチ素子、第４スイッチ素子の４つのスイッチ素子を備え、
前記４つのスイッチ素子は、それぞれ、
３つの端子を有し、その中の第１の端子の接続先を第２の端子と第３の端子から選択するスイッチ素子であり、
前記第１スイッチ素子の第１の端子が前記第１メイン入出力部に接続され、前記第２スイッチ素子の第１の端子が前記第１サブ入出力部に接続され、前記第３スイッチ素子の第１の端子が前記第１メインフロントエンドに接続され、前記第４スイッチ素子の第１の端子が前記第１サブフロントエンドに接続され、
前記第１スイッチ素子の第２の端子と前記第３スイッチ素子の第２の端子が接続され、前記第２スイッチ素子の第２の端子と前記第４スイッチ素子の第２の端子が接続され、
前記第１スイッチ素子の第３の端子と前記第４スイッチ素子の第３の端子が接続され、前記第２スイッチ素子の第３の端子と前記第３スイッチ素子の第３の端子が接続される、
または、
前記第２スイッチ部が、
第１スイッチ素子、第２スイッチ素子、第３スイッチ素子、第４スイッチ素子の４つのスイッチ素子を備え、
前記４つのスイッチ素子は、それぞれ、
３つの端子を有し、その中の第１の端子の接続先を第２の端子と第３の端子から選択するスイッチ素子であり、
前記第１スイッチ素子の第１の端子が前記第２メイン入出力部に接続され、前記第２スイッチ素子の第１の端子が前記第２サブ入出力部に接続され、前記第３スイッチ素子の第１の端子が前記第２メインフロントエンドに接続され、前記第４スイッチ素子の第１の端子が前記第２サブフロントエンドに接続され、
前記第１スイッチ素子の第２の端子と前記第３スイッチ素子の第２の端子が接続され、前記第２スイッチ素子の第２の端子と前記第４スイッチ素子の第２の端子が接続され、
前記第１スイッチ素子の第３の端子と前記第４スイッチ素子の第３の端子が接続され、前記第２スイッチ素子の第３の端子と前記第３スイッチ素子の第３の端子が接続される、
ことを特徴とする移動通信端末。
【請求項５】
請求項１から３のいずれかに記載の移動通信端末であって、
前記第１スイッチ部が、
第１スイッチ素子、第２スイッチ素子、第３スイッチ素子、第４スイッチ素子の４つのスイッチ素子を備え、
前記第１スイッチ素子と前記第２スイッチ素子は、それぞれ、
３つの端子を有し、その中の第１の端子の接続先を第２の端子と第３の端子から選択するスイッチ素子であり、
前記第３スイッチ素子と前記第４スイッチ素子は、２つの端子間の接続と切断を切り替えるスイッチ素子であり、
前記第１スイッチ素子の第１の端子が前記第１メイン入出力部に接続され、前記第２スイッチ素子の第１の端子が前記第１サブ入出力部に接続され、前記第２スイッチ素子の第３の端子が前記第１メインフロントエンドに接続され、前記第１スイッチ素子の第３の端子が前記第１サブフロントエンドに接続され、
前記第３スイッチ素子の１つの端子が前記第１スイッチ素子の第２の端子と接続され、前記第３スイッチ素子のもう１つの端子が前記第２スイッチ素子の第３の端子と接続され、
前記第４スイッチ素子の１つの端子が前記第１スイッチ素子の第３の端子と接続され、前記第４スイッチ素子のもう１つの端子が前記第２スイッチ素子の第２の端子と接続される、
または、
前記第２スイッチ部が、
第１スイッチ素子、第２スイッチ素子、第３スイッチ素子、第４スイッチ素子の４つのスイッチ素子を備え、
前記第１スイッチ素子と前記第２スイッチ素子は、それぞれ、
３つの端子を有し、その中の第１の端子の接続先を第２の端子と第３の端子から選択するスイッチ素子であり、
前記第３スイッチ素子と前記第４スイッチ素子は、２つの端子間の接続と切断を切り替えるスイッチ素子であり、
前記第１スイッチ素子の第１の端子が前記第２メイン入出力部に接続され、前記第２スイッチ素子の第１の端子が前記第２サブ入出力部に接続され、前記第２スイッチ素子の第３の端子が前記第２メインフロントエンドに接続され、前記第１スイッチ素子の第３の端子が前記第２サブフロントエンドに接続され、
前記第３スイッチ素子の１つの端子が前記第１スイッチ素子の第２の端子と接続され、前記第３スイッチ素子のもう１つの端子が前記第２スイッチ素子の第３の端子と接続され、
前記第４スイッチ素子の１つの端子が前記第１スイッチ素子の第３の端子と接続され、前記第４スイッチ素子のもう１つの端子が前記第２スイッチ素子の第２の端子と接続される、
ことを特徴とする移動通信端末。
【請求項６】
第１周波数帯と第２周波数帯の２つの周波数帯で通信を行う移動通信端末であって、
前記２つの周波数帯での送受信が可能なメインアンテナと、
前記２つの周波数帯での送受信が可能なサブアンテナと、
前記第１周波数帯での送受信を行う第１メインフロントエンドと、
前記第１周波数帯での受信を行う第１サブフロントエンドと、
前記第２周波数帯での送受信を行う第２メインフロントエンドと、
前記第２周波数帯での受信を行う第２サブフロントエンドと、
第１メイン入出力部と第２メイン入出力部とメインアンテナ入出力部とを有し、前記第１周波数帯の信号は前記第１メイン入出力部と前記メインアンテナ入出力部との間を透過し、前記第２周波数帯の信号は前記第２メイン入出力部と前記メインアンテナ入出力部との間を透過し、前記メインアンテナ入出力部が前記メインアンテナに接続されたメインダイプレクサと、
第１サブ入出力部と第２サブ入出力部とサブアンテナ入出力部とを有し、前記第１周波数帯の信号は前記第１サブ入出力部と前記サブアンテナ入出力部との間を透過し、前記第２周波数帯の信号は前記第２サブ入出力部と前記サブアンテナ入出力部との間を透過し、前記サブアンテナ入出力部が前記サブアンテナに接続されたサブダイプレクサと、
前記第２メイン入出力部を前記第２メインフロントエンドに接続し、前記第２サブ入出力部を前記第２サブフロントエンドに接続したストレート状態と、前記第２メイン入出力部を前記第２サブフロントエンドに接続し、前記第２サブ入出力部を前記第２メインフロントエンドに接続したクロス状態とを切り替えるスイッチ部と、
を備え、
前記第１メイン入出力部と前記第１メインフロントエンドとが接続され、前記第１サブ入出力部と前記第１サブフロントエンドとが接続され、
前記スイッチ部の状態を、前記第１周波数帯の送信電力、前記第２周波数帯の送信電力、前記第１周波数帯の受信性能、前記第２周波数帯の受信性能に基づいて決定する
ことを特徴とする移動通信端末。
【請求項７】
請求項６記載の移動通信端末であって、
前記第１周波数帯の送信電力が小さいことを示す第１範囲であり、前記第２周波数帯の送信電力が小さいことを示す第２範囲のときには、前記スイッチ部を前記ストレート状態とし、
前記第１周波数帯の送信電力が前記第１範囲ではないときには、前記スイッチ部を前記ストレート状態と前記クロス状態のいずれにするかを、前記第２周波数帯の受信性能に基づいて決め、
前記第１周波数帯の送信電力が前記第１範囲であり、前記第２周波数帯の送信電力が前記第２範囲ではないときには、前記スイッチ部を前記ストレート状態と前記クロス状態のいずれにするかを、前記第１周波数帯の受信性能に基づいて決める
ことを特徴とする移動通信端末。
【請求項８】
請求項６または７記載の移動通信端末であって、
前記スイッチ部が、
第１スイッチ素子、第２スイッチ素子、第３スイッチ素子、第４スイッチ素子の４つのスイッチ素子を備え、
前記４つのスイッチ素子は、それぞれ、
３つの端子を有し、その中の第１の端子の接続先を第２の端子と第３の端子から選択するスイッチ素子であり、
前記第１スイッチ素子の第１の端子が前記第２メイン入出力部に接続され、前記第２スイッチ素子の第１の端子が前記第２サブ入出力部に接続され、前記第３スイッチ素子の第１の端子が前記第２メインフロントエンドに接続され、前記第４スイッチ素子の第１の端子が前記第２サブフロントエンドに接続され、
前記第１スイッチ素子の第２の端子と前記第３スイッチ素子の第２の端子が接続され、前記第２スイッチ素子の第２の端子と前記第４スイッチ素子の第２の端子が接続され、
前記第１スイッチ素子の第３の端子と前記第４スイッチ素子の第３の端子が接続され、前記第２スイッチ素子の第３の端子と前記第３スイッチ素子の第３の端子が接続される、
ことを特徴とする移動通信端末。
【請求項９】
請求項６または７記載の移動通信端末であって、
前記スイッチ部が、
第１スイッチ素子、第２スイッチ素子、第３スイッチ素子、第４スイッチ素子の４つのスイッチ素子を備え、
前記第１スイッチ素子と前記第２スイッチ素子は、それぞれ、
３つの端子を有し、その中の第１の端子の接続先を第２の端子と第３の端子から選択するスイッチ素子であり、
前記第３スイッチ素子と前記第４スイッチ素子は、２つの端子間の接続と切断を切り替えるスイッチ素子であり、
前記第１スイッチ素子の第１の端子が前記第２メイン入出力部に接続され、前記第２スイッチ素子の第１の端子が前記第２サブ入出力部に接続され、前記第２スイッチ素子の第３の端子が前記第２メインフロントエンドに接続され、前記第１スイッチ素子の第３の端子が前記第２サブフロントエンドに接続され、
前記第３スイッチ素子の１つの端子が前記第１スイッチ素子の第２の端子と接続され、前記第３スイッチ素子のもう１つの端子が前記第２スイッチ素子の第３の端子と接続され、
前記第４スイッチ素子の１つの端子が前記第１スイッチ素子の第３の端子と接続され、前記第４スイッチ素子のもう１つの端子が前記第２スイッチ素子の第２の端子と接続される、
ことを特徴とする移動通信端末。
【請求項１０】
第１周波数帯と第２周波数帯の２つの周波数帯で通信を行う移動通信端末であって、
前記２つの周波数帯での送受信が可能なメインアンテナと、
前記２つの周波数帯での送受信が可能なサブアンテナと、
前記第１周波数帯での送受信を行う第１メインフロントエンドと、
前記第１周波数帯での受信を行う第１サブフロントエンドと、
前記第２周波数帯での送受信を行う第２メインフロントエンドと、
前記第２周波数帯での受信を行う第２サブフロントエンドと、
第１メイン入出力部と第２メイン入出力部とメインアンテナ入出力部とを有し、前記第１周波数帯の信号は前記第１メイン入出力部と前記メインアンテナ入出力部との間を透過し、前記第２周波数帯の信号は前記第２メイン入出力部と前記メインアンテナ入出力部との間を透過し、前記メインアンテナ入出力部が前記メインアンテナに接続されたメインダイプレクサと、
第１サブ入出力部と第２サブ入出力部とサブアンテナ入出力部とを有し、前記第１周波数帯の信号は前記第１サブ入出力部と前記サブアンテナ入出力部との間を透過し、前記第２周波数帯の信号は前記第２サブ入出力部と前記サブアンテナ入出力部との間を透過し、前記第１サブ入出力部が前記第１サブフロントエンドに接続され、前記第２サブ入出力部が前記第２サブフロントエンドに接続されたサブダイプレクサと、
前記第２メイン入出力部を前記第２メインフロントエンドに接続し、前記サブアンテナを前記サブアンテナ入出力部に接続したストレート状態と、前記第２メイン入出力部を前記サブアンテナ入出力部に接続し、前記サブアンテナを前記第２メインフロントエンドに接続したクロス状態とを切り替えるスイッチ部と、
を備え、
前記第１メイン入出力部と前記第１メインフロントエンドとが接続され、
前記スイッチ部の状態を、前記第１周波数帯の送信電力、前記第２周波数帯の送信電力、前記第１周波数帯の受信性能、前記第２周波数帯の受信性能に基づいて決定する
ことを特徴とする移動通信端末。
【請求項１１】
請求項１０記載の移動通信端末であって、
前記第１周波数帯の送信電力が小さいことを示す第１範囲であり、前記第２周波数帯の送信電力が小さいことを示す第２範囲のときには、前記スイッチ部を前記ストレート状態とし、
前記第１周波数帯の送信電力が前記第１範囲ではないときには、前記スイッチ部を前記ストレート状態と前記クロス状態のいずれにするかを、前記第２周波数帯の受信性能に基づいて決め、
前記第１周波数帯の送信電力が前記第１範囲であり、前記第２周波数帯の送信電力が前記第２範囲でないときには、前記スイッチ部を前記ストレート状態と前記クロス状態のいずれにするかを、前記第１周波数帯の受信性能に基づいて決める
ことを特徴とする移動通信端末。
【請求項１２】
請求項１０または１１記載の移動通信端末であって、
前記スイッチ部が、
第１スイッチ素子、第２スイッチ素子、第３スイッチ素子、第４スイッチ素子の４つのスイッチ素子を備え、
前記４つのスイッチ素子は、それぞれ、
３つの端子を有し、その中の第１の端子の接続先を第２の端子と第３の端子から選択するスイッチ素子であり、
前記第１スイッチ素子の第１の端子が前記第２メイン入出力部に接続され、前記第２スイッチ素子の第１の端子が前記サブアンテナに接続され、前記第３スイッチ素子の第１の端子が前記第２メインフロントエンドに接続され、前記第４スイッチ素子の第１の端子が前記サブアンテナ入出力部に接続され、
前記第１スイッチ素子の第２の端子と前記第３スイッチ素子の第２の端子が接続され、前記第２スイッチ素子の第２の端子と前記第４スイッチ素子の第２の端子が接続され、
前記第１スイッチ素子の第３の端子と前記第４スイッチ素子の第３の端子が接続され、前記第２スイッチ素子の第３の端子と前記第３スイッチ素子の第３の端子が接続される、
ことを特徴とする移動通信端末。
【請求項１３】
請求項１０または１１記載の移動通信端末であって、
前記スイッチ部が、
第１スイッチ素子、第２スイッチ素子、第３スイッチ素子、第４スイッチ素子の４つのスイッチ素子を備え、
前記第１スイッチ素子と前記第２スイッチ素子は、それぞれ、
３つの端子を有し、その中の第１の端子の接続先を第２の端子と第３の端子から選択するスイッチ素子であり、
前記第３スイッチ素子と前記第４スイッチ素子は、２つの端子間の接続と切断を切り替えるスイッチ素子であり、
前記第１スイッチ素子の第１の端子が前記第２メイン入出力部に接続され、前記第２スイッチ素子の第１の端子が前記サブアンテナに接続され、前記第２スイッチ素子の第３の端子が前記第２メインフロントエンドに接続され、前記第１スイッチ素子の第３の端子が前記サブアンテナ入出力部に接続され、
前記第３スイッチ素子の１つの端子が前記第１スイッチ素子の第２の端子と接続され、前記第３スイッチ素子のもう１つの端子が前記第２スイッチ素子の第３の端子と接続され、
前記第４スイッチ素子の１つの端子が前記第１スイッチ素子の第３の端子と接続され、前記第４スイッチ素子のもう１つの端子が前記第２スイッチ素子の第２の端子と接続される、
ことを特徴とする移動通信端末。
【発明の詳細な説明】
【技術分野】
【０００１】
本発明は、２つの周波数帯を同時に用いて通信する移動通信端末に関する。
【背景技術】
【０００２】
送信帯域ａ，受信帯域ｂを用いたディジタル自動車電話方式（ＦＤＤ）と帯域ｃを送受信に用いたディジタルコードレス電話方式（ＴＤＤ）の移動機の高周波回路を共用する移動無線機として、特許文献１，２の移動無線機が知られている。これらの移動無線機では、２つのアンテナやスイッチなどを用い、高周波回路を共用している。
【０００３】
また、移動通信端末では、更なる通信速度の向上や通信品質の確保への要求から、ＭＩＭＯ（Multiple Input Multiple Output）への対応や、複数周波数同時通信（ＣＡ：Carrier Aggregation）の導入が求められている。
【先行技術文献】
【特許文献】
【０００４】
【特許文献１】特開平９−１１６４５８号公報
【特許文献２】特開平９−１８３９７号公報
【発明の概要】
【発明が解決しようとする課題】
【０００５】
ＣＡは通信速度の向上に有用であるが、移動通信端末のＲＦ回路の構成が複雑化する要因となる。例えば、移動通信端末が２つの周波数帯の信号を送信するため、一方の送信信号が他方の受信回路に漏れこみ、受信感度を劣化させることが懸念される。このような受信感度の劣化を防ぐ方式として、ダイプレクサを挿入して信号の漏れこみをＲＦ回路で遮断する方式や、送信アンテナを分けて空間的に信号の漏れこみを減衰させる方式が考えられる。しかし、それぞれ長所と短所がある。
【０００６】
移動通信端末の送信電力が小さい場合、送信信号の漏れこみも小さい。したがって、ダイプレクサで十分に漏れこむ信号を除去できるのでダイプレクサを利用する方式が望ましい。一方、移動通信端末の送信電力が大きい場合、漏れこむ信号が大きくなるので、送信アンテナを分離する方式の方が望ましい。しかし、送信電力や受信性能に応じて２つの方式を使い分ける手段がなかった。
【０００７】
本発明は、２つの周波数帯で通信を行う場合に、送信電力や受信性能に応じて送信信号の漏れこみを減衰させる方式を変更する移動通信端末を提供することを目的とする。
【課題を解決するための手段】
【０００８】
本発明の１つめの移動通信端末は、第１周波数帯と第２周波数帯の２つの周波数帯で通信を行う。そして、メインアンテナ、サブアンテナ、第１メインフロントエンド、第１サブフロントエンド、第２メインフロントエンド、第２サブフロントエンド、メインダイプレクサ、サブダイプレクサ、第１スイッチ部、第２スイッチ部を備える。メインアンテナとサブアンテナは、前記の２つの周波数帯での送受信が可能である。第１メインフロントエンドは、第１周波数帯での送受信を行う。第１サブフロントエンドは、第１周波数帯での受信を行う。第２メインフロントエンドは、第２周波数帯での送受信を行う。第２サブフロントエンドは、第２周波数帯での受信を行う。メインダイプレクサは、第１メイン入出力部と第２メイン入出力部とメインアンテナ入出力部とを有し、第１周波数帯の信号は第１メイン入出力部とメインアンテナ入出力部との間を透過し、第２周波数帯の信号は第２メイン入出力部とメインアンテナ入出力部との間を透過し、メインアンテナ入出力部が前記メインアンテナに接続されている。サブダイプレクサは、第１サブ入出力部と第２サブ入出力部とサブアンテナ入出力部とを有し、第１周波数帯の信号は第１サブ入出力部とサブアンテナ入出力部との間を透過し、第２周波数帯の信号は第２サブ入出力部とサブアンテナ入出力部との間を透過し、サブアンテナ入出力部がサブアンテナに接続されている。第１スイッチ部は、第１メイン入出力部を第１メインフロントエンドに接続し、第１サブ入出力部を第１サブフロントエンドに接続した第1ストレート状態と、第１メイン入出力部を第１サブフロントエンドに接続し、第１サブ入出力部を第１メインフロントエンドに接続した第1クロス状態とを切り替える。第２スイッチ部は、第２メイン入出力部を第２メインフロントエンドに接続し、第２サブ入出力部を第２サブフロントエンドに接続した第２ストレート状態と、第２メイン入出力部を第２サブフロントエンドに接続し、第２サブ入出力部を第２メインフロントエンドに接続した第２クロス状態とを切り替える。そして、移動通信端末は、第１スイッチ部と第２スイッチ部の状態を、第１周波数帯の送信電力、第２周波数帯の送信電力、第１周波数帯の受信性能、第２周波数帯の受信性能に基づいて決定する。
【０００９】
本発明の２つめの移動通信端末も、第１周波数帯と第２周波数帯の２つの周波数帯で通信を行う。そして、メインアンテナ、サブアンテナ、第１メインフロントエンド、第１サブフロントエンド、第２メインフロントエンド、第２サブフロントエンド、メインダイプレクサ、サブダイプレクサ、スイッチ部を備える。メインアンテナとサブアンテナは、前記の２つの周波数帯での送受信が可能である。第１メインフロントエンドは、第１周波数帯での送受信を行う。第１サブフロントエンドは、第１周波数帯での受信を行う。第２メインフロントエンドは、第２周波数帯での送受信を行う。第２サブフロントエンドは、第２周波数帯での受信を行う。メインダイプレクサは、第１メイン入出力部と第２メイン入出力部とメインアンテナ入出力部とを有し、第１周波数帯の信号は第１メイン入出力部とメインアンテナ入出力部との間を透過し、第２周波数帯の信号は第２メイン入出力部とメインアンテナ入出力部との間を透過し、メインアンテナ入出力部がメインアンテナに接続されている。サブダイプレクサは、第１サブ入出力部と第２サブ入出力部とサブアンテナ入出力部とを有し、第１周波数帯の信号は第１サブ入出力部とサブアンテナ入出力部との間を透過し、第２周波数帯の信号は第２サブ入出力部とサブアンテナ入出力部との間を透過し、サブアンテナ入出力部がサブアンテナに接続された。スイッチ部は、第２メイン入出力部を第２メインフロントエンドに接続し、第２サブ入出力部を第２サブフロントエンドに接続したストレート状態と、第２メイン入出力部を第２サブフロントエンドに接続し、第２サブ入出力部を第２メインフロントエンドに接続したクロス状態とを切り替える。そして、第１メイン入出力部と第１メインフロントエンドとが接続され、第１サブ入出力部と第１サブフロントエンドとが接続されている。また、移動通信端末は、スイッチ部の状態を、第１周波数帯の送信電力、第２周波数帯の送信電力、第１周波数帯の受信性能、第２周波数帯の受信性能に基づいて決定する。
【００１０】
本発明の３つめの移動通信端末も、第１周波数帯と第２周波数帯の２つの周波数帯で通信を行う。そして、メインアンテナ、サブアンテナ、第１メインフロントエンド、第１サブフロントエンド、第２メインフロントエンド、第２サブフロントエンド、メインダイプレクサ、サブダイプレクサ、スイッチ部を備える。メインアンテナとサブアンテナは、前記の２つの周波数帯での送受信が可能である。第１メインフロントエンドは、第１周波数帯での送受信を行う。第１サブフロントエンドは、第１周波数帯での受信を行う。第２メインフロントエンドは、第２周波数帯での送受信を行う。第２サブフロントエンドは、第２周波数帯での受信を行う。メインダイプレクサは、第１メイン入出力部と第２メイン入出力部とメインアンテナ入出力部とを有し、第１周波数帯の信号は第１メイン入出力部とメインアンテナ入出力部との間を透過し、第２周波数帯の信号は第２メイン入出力部とメインアンテナ入出力部との間を透過し、メインアンテナ入出力部がメインアンテナに接続されている。サブダイプレクサは、第１サブ入出力部と第２サブ入出力部とサブアンテナ入出力部とを有し、第１周波数帯の信号は第１サブ入出力部とサブアンテナ入出力部との間を透過し、第２周波数帯の信号は第２サブ入出力部とサブアンテナ入出力部との間を透過し、第１サブ入出力部が第１サブフロントエンドに接続され、第２サブ入出力部が第２サブフロントエンドに接続されている。スイッチ部は、第２メイン入出力部を第２メインフロントエンドに接続し、サブアンテナをサブアンテナ入出力部に接続したストレート状態と、第２メイン入出力部をサブアンテナ入出力部に接続し、サブアンテナを第２メインフロントエンドに接続したクロス状態とを切り替える。そして、第１メイン入出力部と第１メインフロントエンドとが接続されている。また、移動通信端末は、スイッチ部の状態を、第１周波数帯の送信電力、第２周波数帯の送信電力、第１周波数帯の受信性能、第２周波数帯の受信性能に基づいて決定する。
【発明の効果】
【００１１】
本発明の移動通信端末によれば、２つの周波数帯で通信を行う場合に、送信信号の漏れこみを減衰させる方式を、送信電力と受信性能に応じて変更できる。したがって、移動通信端末を使用する環境に応じた適切な方式を選択できる。
【図面の簡単な説明】
【００１２】
【図１】実施例１の移動通信端末のアンテナからフロントエンドまでの構成を示す図。
【図２】スイッチ部の構成例を示す図。
【図３】スイッチ部の別の構成例を示す図。
【図４】実施例２の移動通信端末のアンテナからフロントエンドまでの構成を示す図。
【図５】実施例３の移動通信端末のアンテナからフロントエンドまでの構成を示す図。
【発明を実施するための形態】
【００１３】
以下、本発明の実施の形態について、詳細に説明する。なお、同じ機能を有する構成部には同じ番号を付し、重複説明を省略する。
【実施例１】
【００１４】
図１に実施例１の移動通信端末のアンテナからフロントエンドまでの構成を示す。移動通信端末１００は、メインアンテナ１１０、サブアンテナ２１０、第１メインフロントエンド１５０、第１サブフロントエンド１６０、第２メインフロントエンド２５０、第２サブフロントエンド２６０、メインダイプレクサ１２０、サブダイプレクサ２２０、第１スイッチ部１３０、第２スイッチ部２３０を備え、第１周波数帯と第２周波数帯の２つの周波数帯で通信を行う。
【００１５】
メインアンテナ１１０とサブアンテナ２１０は、第１周波数帯と第２周波数帯での送受信が可能である。例えば、第１周波数帯を１．７ＧＨｚ、２ＧＨｚもしくは２．６ＧＨｚとし、第２周波数を２．４ＧＨｚもしくは２．５ＧＨｚとすればよい。ただし、これらの周波数に限定する必要はなく、１つのアンテナで送受信できる２つの周波数であればよい。また、メインアンテナ１１０とサブアンテナ２１０は、同じアンテナでもよいし、メインアンテナ１１０の方が特性のよいアンテナとしてもよい。あるいは、メインアンテナ１１０を第１周波数帯での特性を優先したアンテナとし、サブアンテナ２１０を第２周波数帯での特性を優先したアンテナとしてもよい。
【００１６】
第１メインフロントエンド１５０は、第１周波数帯での送受信を行う。第１メインフロントエンド１５０は、例えば、第１周波数帯用の送信部１５１と受信部１５２と、第１周波数帯の送信信号と受信信号とを合分波するデュプレクサ１５５とを含んで構成すればよい。第１サブフロントエンド１６０は、第１周波数帯での受信を行う。例えば、第１周波数帯でのＭＩＭＯによる通信を行う場合に、第１サブフロントエンド１６０を使用すればよい。第１サブフロントエンド１６０は、例えば、第１周波数帯用の受信部１６２を含んで構成すればよい。
【００１７】
第２メインフロントエンド２５０は、第２周波数帯での送受信を行う。第２メインフロントエンド２５０は、例えば、第２周波数帯用の送信部２５１と受信部２５２と、第２周波数帯の送信信号と受信信号とを合分波するデュプレクサ２５５とを含んで構成すればよい。第２サブフロントエンド２６０は、第２周波数帯での受信を行う。例えば、第２周波数帯でのＭＩＭＯによる通信を行う場合に、第２サブフロントエンド２６０を使用すればよい。第２サブフロントエンド２６０は、例えば、第２周波数帯用の受信部２６２を含んで構成すればよい。
【００１８】
メインダイプレクサ１２０は、第１メイン入出力部１２１と第２メイン入出力部１２２とメインアンテナ入出力部１２５とを有する。そして、第１周波数帯の信号は、第１メイン入出力部１２１とメインアンテナ入出力部１２５との間を透過し、第２メイン入出力部１２２とメインアンテナ入出力部１２５との間および第１メイン入出力部１２１と第２メイン入出力部１２２との間では減衰する。また、第２周波数帯の信号は、第２メイン入出力部とメインアンテナ入出力部との間を透過し、第１メイン入出力部１２１とメインアンテナ入出力部１２５との間および第１メイン入出力部１２１と第２メイン入出力部１２２との間では減衰する。メインアンテナ入出力部１２５は、メインアンテナ１１０に接続されている。
【００１９】
サブダイプレクサ２２０は、第１サブ入出力部２２１と第２サブ入出力部２２２とサブアンテナ入出力部２２５とを有する。そして、第１周波数帯の信号は、第１サブ入出力部２２１とサブアンテナ入出力部２２５との間を透過し、第２サブ入出力部２２２とサブアンテナ入出力部２２５との間および第１サブ入出力部２２１と第２サブ入出力部２２２との間では減衰する。また、第２周波数帯の信号は、第２サブ入出力部２２２とサブアンテナ入出力部２２５との間を透過し、第１サブ入出力部２２１とサブアンテナ入出力部２２５との間および第１サブ入出力部２２１と第２サブ入出力部２２２との間では減衰する。サブアンテナ入出力部２２５は、サブアンテナ２１０に接続されている。
【００２０】
第１スイッチ部１３０は、第１メイン入出力部１２１を第１メインフロントエンド１５０に接続し、第１サブ入出力部２２１を第１サブフロントエンド１６０に接続した第1ストレート状態と、第１メイン入出力部１２１を第１サブフロントエンド１６０に接続し、第１サブ入出力部２２１を第１メインフロントエンド１５０に接続した第1クロス状態とを切り替える。例えば、第１スイッチ部１３０は端子１３１，１３２，１３３，１３４を備え、端子１３１を第１メイン入出力部１２１に接続し、端子１３２を第１サブ入出力部２２１に接続し、端子１３３を第１メインフロントエンド１５０に接続し、端子１３４を第１サブフロントエンド１６０に接続しておく。そして、端子１３１と端子１３３を接続し、端子１３２と端子１３４を接続した状態を第１ストレート状態、端子１３１と端子１３４を接続し、端子１３２と端子１３３を接続した状態を第１クロス状態とすればよい。
【００２１】
第２スイッチ部２３０は、第２メイン入出力部１２２を第２メインフロントエンド２５０に接続し、第２サブ入出力部２２２を第２サブフロントエンド２６０に接続した第２ストレート状態と、第２メイン入出力部１２２を第２サブフロントエンド２６０に接続し、第２サブ入出力部２２２を第２メインフロントエンド２５０に接続した第２クロス状態とを切り替える。例えば、第２スイッチ部２３０は端子２３１，２３２，２３３，２３４を備え、端子２３１を第２メイン入出力部１２２に接続し、端子２３２を第２サブ入出力部２２２に接続し、端子２３３を第２メインフロントエンド２５０に接続し、端子２３４を第２サブフロントエンド２６０に接続しておく。そして、端子２３１と端子２３３を接続し、端子２３２と端子２３４を接続した状態を第２ストレート状態、端子２３１と端子２３４を接続し、端子２３２と端子２３３を接続した状態を第２クロス状態とすればよい。
【００２２】
そして、移動通信端末１００は、第１スイッチ部１３０と第２スイッチ部２３０の状態を、第１周波数帯の送信電力、第２周波数帯の送信電力、第１周波数帯の受信性能（ＢＥＲ:Bit Error Rate）、第２周波数帯の受信性能（ＢＥＲ）に基づいて決定する。具体的な決定方法を以下に説明する。
【００２３】
あらかじめ、第１周波数帯の送信電力が小さいことを示す第１範囲と第２周波数帯の送信電力が小さいことを示す第２範囲とを定めておく。具体的には第１周波数帯用の第１閾値と第２周波数帯用の第２閾値を定め、第１閾値以下を第１範囲、第２閾値以下を第２範囲とすればよい。ただし、これに限定する必要はなく、第１閾値未満を第１範囲、第２閾値未満を第２範囲としてもよいし、第１閾値と第２閾値を過去の送信電力などの情報から変動させてもよいし、第１閾値と第２閾値とは同じでも異なる値でもよい。
【００２４】
＜１つめの制御方法＞
この制御方法では、第１周波数帯の方が第２周波数帯よりも重要であり、メインアンテナ１１０とサブアンテナ２１０が同等の特性を有するか、メインアンテナ１１０の方が、特性が良い場合を想定している。この制御方法では、３つに場合分けして制御する。
【００２５】
（１）第１周波数帯の送信電力が第１範囲であり、第２周波数帯の送信電力が第２範囲のとき（第１周波数帯も第２周波数帯も送信電力が小さいとき）
移動通信端末１００は、第１スイッチ部１３０を第１ストレート状態、第２スイッチ部２３０を第２ストレート状態とする。このように接続すれば、第１周波数帯も第２周波数帯もメインアンテナ１１０で送受信する。このときは、漏れこむ送信信号は少ないので、ダイプレクサを利用する方式で漏れこむ送信信号を除去する。なお、送信電力は電波状態に応じて制御されるので、送信電力が小さいときは電波状態がよいことを示している。したがって、第１周波数帯も第２周波数帯も電波状態がよいことを示している。
【００２６】
（２）第１周波数帯の送信電力が第１範囲ではないとき（第１周波数帯の送信電力が大きいとき）
移動通信端末１００は、第１スイッチ部１３０を第１ストレート状態とし、第２スイッチ部２３０を第２ストレート状態と第２クロス状態のいずれにするかを、第２周波数帯の受信性能に基づいて決める（第２周波数帯の受信性能がよい方を選択する）。このときは、第１周波数帯の送信信号が第２メインフロントエンド２５０に漏れこむのを防ぐ必要がある。そこで、第２メインフロントエンド２５０をサブアンテナ２１０に接続し、アンテナを分離する方式で漏れこむ送信信号を減衰させるのか、第２メインフロントエンド２５０をメインアンテナ１１０に接続し、メインダイプレクサ１２０で漏れこむ送信信号を減衰させるのかを、受信性能に基づいて決めている。なお、このときは、第１周波数帯の方が第２周波数帯よりも重要であり、第１周波数帯の電波状態が悪いので、第２周波数帯の電波状態にかかわらず、特性のよいメインアンテナ１１０を第１周波数帯に割り当てている。
【００２７】
（３）第１周波数帯の送信電力が第１範囲であり、第２周波数帯の送信電力が第２範囲ではないとき（第１周波数帯の送信電力は小さいが、第２周波数帯の送信電力が大きいとき）
移動通信端末１００は、第２スイッチ部２３０を第２ストレート状態とし、第１スイッチ部１３０を第１ストレート状態と第１クロス状態のいずれにするかを、第１周波数帯の受信性能に基づいて決める（第１周波数帯の受信性能がよい方を選択する）。このときは、第２周波数帯の送信信号が第１メインフロントエンド１５０に漏れこむのを防ぐ必要がある。そこで、第１メインフロントエンド１５０をサブアンテナ２１０に接続し、アンテナを分離する方式で漏れこむ送信信号を減衰させるのか、第１メインフロントエンド１５０をメインアンテナ１１０に接続し、メインダイプレクサ１２０で漏れこむ送信信号を減衰させるのかを、受信性能に基づいて決めている。なお、このときは、第１周波数帯の電波状態は良く、第２周波数帯の電波状態が悪いので、特性のよいメインアンテナ１１０を第２周波数帯に割り当てている。
【００２８】
＜２つめの制御方法＞
この制御方法では、第１周波数帯と第２周波数帯には優劣がなく、メインアンテナ１１０とサブアンテナ２１０が同等の特性を有するか、メインアンテナ１１０の方が、特性が良い場合を想定している。この制御方法では、４つに場合分けして制御する。
【００２９】
（１）第１周波数帯の送信電力が第１範囲であり、第２周波数帯の送信電力が第２範囲のとき（第１周波数帯も第２周波数帯も送信電力が小さいとき）
移動通信端末１００は、第１スイッチ部１３０を第１ストレート状態、第２スイッチ部２３０を第２ストレート状態とする。この状態にする理由は、１つめの制御方法の（１）と同じである。
【００３０】
（２）第１周波数帯の送信電力が第１範囲ではなく、第２周波数帯の送信電力が第２範囲のとき（第１周波数帯の送信電力が大きく、第２周波数帯の送信電力が小さいとき）
移動通信端末１００は、第１スイッチ部１３０を第１ストレート状態とし、第２スイッチ部２３０を第２ストレート状態と第２クロス状態のいずれにするかを、第２周波数帯の受信性能に基づいて決める（第２周波数帯の受信性能がよい方を選択する）。なお、この制御方法の前提が、第１周波数帯と第２周波数帯には優劣がないことなので、第２周波数帯の電波状態が良いことを確認した上で、電波状態が悪い第１周波数に、特性のよいメインアンテナ１１０を割り当てている。
【００３１】
（３）第１周波数帯の送信電力が第１範囲であり、第２周波数帯の送信電力が第２範囲ではないとき（第１周波数帯の送信電力は小さく、第２周波数帯の送信電力が大きいとき）
移動通信端末１００は、第２スイッチ部２３０を第２ストレート状態とし、第１スイッチ部１３０を第１ストレート状態と第１クロス状態のいずれにするかを、第１周波数帯の受信性能に基づいて決める（第１周波数帯の受信性能がよい方を選択する）。この状態にする理由は、１つめの制御方法の（３）と同じである。
【００３２】
（４）第１周波数帯の送信電力が第１範囲ではなく、第２周波数帯の送信電力が第２範囲ではないとき（第１周波数帯も第２周波数帯も送信電力が大きいとき）
第１スイッチ部１３０と第２スイッチ部２３０の状態を、第１周波数帯の受信性能と第２周波数帯の受信性能に基づいて決定する。例えば、第１スイッチ部１３０を第１ストレート状態、第２スイッチ部２３０を第２ストレート状態としたときの第１周波数帯の受信性能と第２周波数帯の受信性能の平均と、第１スイッチ部１３０を第１ストレート状態、第２スイッチ部２３０を第２クロス状態としたときの第１周波数帯の受信性能と第２周波数帯の受信性能の平均と、第１スイッチ部１３０を第１クロス状態、第２スイッチ部２３０を第２ストレート状態としたときの第１周波数帯の受信性能と第２周波数帯の受信性能の平均と、第１スイッチ部１３０を第１クロス状態、第２スイッチ部２３０を第２クロス状態としたときの第１周波数帯の受信性能と第２周波数帯の受信性能の平均と、を比較して最も受信性能の平均がよい組み合わせを選択すればよい。このときは、第１周波数帯も第２周波数帯も電波状態が悪いと考えられ、どちらの周波数帯にも優劣がないので、４つの組み合わせを確認している。なお、両方の送信電力が大きいので、アンテナを分離することは決定してしまってもよい。その場合は、第１スイッチ部１３０を第１ストレート状態、第２スイッチ部２３０を第２クロス状態としたときの第１周波数帯の受信性能と第２周波数帯の受信性能の平均と、第１スイッチ部１３０を第１クロス状態、第２スイッチ部２３０を第２ストレート状態としたときの第１周波数帯の受信性能と第２周波数帯の受信性能の平均の２つを比較していずれかを選択すればよい。
【００３３】
＜第１スイッチ部、第２スイッチ部の構成＞
次に第１スイッチ部１３０と第２スイッチ部２３０のより具体的な構成について説明する。図２に第１スイッチ部１３０の構成例を示す。なお、第２スイッチ部２３０も同じ構成にすればよい。第１スイッチ部１３０は、第１スイッチ素子１３５、第２スイッチ素子１３６、第３スイッチ素子１３７、第４スイッチ素子１３８の４つのスイッチ素子を備える。４つのスイッチ素子は、それぞれ、３つの端子を有し、その中の第１の端子１３５１，１３６１，１３７１，１３８１の接続先を第２の端子１３５２，１３６２，１３７２，１３８２と第３の端子１３５３，１３６３，１３７３，１３８３から選択するスイッチ素子である。
【００３４】
そして、第１スイッチ素子１３５の第１の端子１３５１が端子１３１に接続され（または端子１３５１が端子１３１であり）、第２スイッチ素子１３６の第１の端子１３６１が端子１３２に接続され（または端子１３６１が端子１３２であり）、第３スイッチ素子１３７の第１の端子１３７１が端子１３３に接続され（または端子１３７１が端子１３３であり）、第４スイッチ素子１３８の第１の端子１３８１が端子１３４に接続される（または端子１３８１が端子１３４である）。また、第１スイッチ素子１３５の第２の端子１３５２と第３スイッチ素子１３７の第２の端子１３７２が接続され、第２スイッチ素子１３６の第２の端子１３６２と第４スイッチ素子１３８の第２の端子１３８２が接続され、第１スイッチ素子１３５の第３の端子１３５３と第４スイッチ素子１３８の第３の端子１３８３が接続され、第２スイッチ素子１３６の第３の端子１３６３と第３スイッチ素子１３７の第３の端子１３７３が接続される。
【００３５】
図２の実線で示した第１スイッチ素子１３５、第２スイッチ素子１３６、第３スイッチ素子１３７、第４スイッチ素子１３８の状態はストレート状態を示しており、点線で示した状態はクロス状態を示している。上述のようにスイッチ素子を配置、接続し、各スイッチ素子を動作させれば、ストレート状態とクロス状態を切り替えることができる。
【００３６】
さらに、図３に第１スイッチ部１３０の別の構成例を示す。なお、第２スイッチ部２３０も同じ構成にすればよい。第１スイッチ部１３０は、第１スイッチ素子２３５、第２スイッチ素子２３６、第３スイッチ素子２３７、第４スイッチ素子２３８の４つのスイッチ素子を備える。第１スイッチ素子２３５と第２スイッチ素子２３６は、それぞれ、３つの端子を有し、その中の第１の端子２３５１，２３６１の接続先を第２の端子２３５２，２３６２と第３の端子２３５３，２３６３から選択するスイッチ素子である。第３スイッチ素子２３７と第４スイッチ素子２３８は、端子２３７１，２３８１と端子２３７２，２３８２との間の接続状態と切断状態とを切り替えるスイッチ素子である。
【００３７】
そして、第１スイッチ素子２３５の第１の端子２３５１が端子１３１に接続され（または端子２３５１が端子１３１であり）、第２スイッチ素子２３６の第１の端子２３６１が端子１３２に接続され（または端子２３６１が端子１３２であり）、第２スイッチ素子２３６の第３の端子２３６３が端子１３３に接続され（または端子２３６３が端子１３３であり）、第１スイッチ素子２３５の第３の端子２３５３が端子１３４に接続される（または端子２３５３が端子１３４である）。また、第３スイッチ素子２３７の端子２３７１が第１スイッチ素子２３５の第２の端子２３５２と接続され、第３スイッチ素子２３７の端子２３７２が第２スイッチ素子の第３の端子２３６３と接続される。第４スイッチ素子２３８の端子２３８１が第１スイッチ素子２３５の第３の端子２３５３と接続され、第４スイッチ素子２３８の端子２３８２が第２スイッチ素子２３６の第２の端子２３６２と接続される。
【００３８】
図３の実線で示した第１スイッチ素子３３５、第２スイッチ素子２３６、第３スイッチ素子２３７、第４スイッチ素子２３８の状態はストレート状態を示しており、点線で示した状態はクロス状態を示している。上述のようにスイッチ素子を配置、接続し、各スイッチ素子を動作させれば、ストレート状態とクロス状態を切り替えることができる。なお、第３スイッチ素子２３７、第４スイッチ素子２３８は、第１スイッチ素子３３５と第２スイッチ素子２３６との間の配線がブリッジタップとなってしまい、移動通信端末の特性に悪影響を与えることを防ぐために備えられている。移動通信端末の特性上問題なければ備えなくてもよい。
【００３９】
実施例１の移動通信端末１００によれば、２つの周波数帯で通信を行う場合に、送信信号の漏れこみを減衰させる方式を、送信電力と受信性能に応じて変更できる。したがって、移動通信端末を使用する環境に応じた適切な方式を選択できる。また、第１スイッチ部１３０と第２スイッチ部２３０がどの状態のときでも、第１サブフロントエンド１６０と第２サブフロントエンド２６０は受信できるので、どちらの周波数帯でもＭＩＭＯでの通信が理論上は可能である（ただし、実際には、他方の周波数帯の送信信号の漏れこみによってＭＩＭＯによる通信ができないこともあり得る。）。
【実施例２】
【００４０】
実施例２では、第１周波数帯の重要度が第２周波数帯よりも明らかに高い場合の実施例を示す。図４に、実施例２の移動通信端末のアンテナからフロントエンドまでの構成を示す。実施例１との違いは、第１スイッチ部１３０に相当するスイッチがないことである。言い換えると、第１スイッチ部１３０を常に第１ストレート状態にしていることに相当し、第１周波数帯の送信を常にメインアンテナ１１０で行う（第１メインフロントエンド１５０は、常にメインアンテナ１１０に接続される）。
【００４１】
移動通信端末３００は、メインアンテナ１１０、サブアンテナ２１０、第１メインフロントエンド１５０、第１サブフロントエンド１６０、第２メインフロントエンド２５０、第２サブフロントエンド２６０、メインダイプレクサ１２０、サブダイプレクサ２２０、スイッチ部３３０を備え、第１周波数帯と第２周波数帯の２つの周波数帯で通信を行う。
【００４２】
メインアンテナ１１０、サブアンテナ２１０、第１メインフロントエンド１５０、第１サブフロントエンド１６０、第２メインフロントエンド２５０、第２サブフロントエンド２６０、メインダイプレクサ１２０、サブダイプレクサ２２０は実施例１と同じである。ただし、第１メイン入出力部１２１と第１メインフロントエンド１５０とが接続され、第１サブ入出力部２２１と第１サブフロントエンド１６０とが接続されている。
【００４３】
スイッチ部３３０は、第２メイン入出力部１２２を第２メインフロントエンド２５０に接続し、第２サブ入出力部２２２を第２サブフロントエンド２６０に接続したストレート状態と、第２メイン入出力部１２２を第２サブフロントエンド２６０に接続し、第２サブ入出力部２２２を第２メインフロントエンド２５０に接続したクロス状態とを切り替える。例えば、スイッチ部３３０は端子３３１，３３２，３３３，３３４を備え、端子３３１を第２メイン入出力部１２２に接続し、端子３３２を第２サブ入出力部２２２に接続し、端子３３３を第２メインフロントエンド２５０に接続し、端子３３４を第２サブフロントエンド２６０に接続しておく。そして、端子３３１と端子３３３を接続し、端子３３２と端子３３４を接続した状態をストレート状態、端子３３１と端子３３４を接続し、端子３３２と端子３３３を接続した状態をクロス状態とすればよい。なお、スイッチ部３３０は、実施例１と同じように図２または図３に示した構成にすれば実現できる。
【００４４】
そして、移動通信端末３００は、スイッチ部３３０の状態を、第１周波数帯の送信電力、第２周波数帯の送信電力、第１周波数帯の受信性能、第２周波数帯の受信性能に基づいて決定する。具体的な決定方法を以下に説明する。なお、第１範囲、第２範囲の考え方は、実施例１と同じである。
【００４５】
＜制御方法＞
この制御方法では、第１周波数帯の方が第２周波数帯よりも非常に重要であり、メインアンテナ１１０とサブアンテナ２１０が同等の特性を有するか、メインアンテナ１１０の方が、特性が良い場合を前提としている。この制御方法では、３つに場合分けして制御する。
【００４６】
（１）第１周波数帯の送信電力が第１範囲であり、第２周波数帯の送信電力が第２範囲のとき（第１周波数帯も第２周波数帯も送信電力が小さいとき）
移動通信端末３００は、スイッチ部３３０をストレート状態とする。理由は実施例１の１つめの制御方法の（１）と同じである。
【００４７】
（２）第１周波数帯の送信電力が第１範囲ではないとき（第１周波数帯の送信電力が大きいとき）
移動通信端末３００は、スイッチ部３３０をストレート状態とクロス状態のいずれにするかを、第２周波数帯の受信性能に基づいて決める。理由は実施例１の１つめの制御方法の（２）と同じである。
【００４８】
（３）第１周波数帯の送信電力が第１範囲であり、第２周波数帯の送信電力が第２範囲ではないとき（第１周波数帯の送信電力は小さいが、第２周波数帯の送信電力が大きいとき）
移動通信端末３００は、スイッチ部３３０をストレート状態とクロス状態のいずれにするかを、第１周波数帯の受信性能に基づいて決める。理由は実施例１の１つめの制御方法の（３）と同じである。
【００４９】
実施例２の移動通信端末３００はこのように制御するので、第１周波数帯を特に重要な周波数帯として扱いながら、実施例１の移動通信端末と同様の効果が得られる。
【実施例３】
【００５０】
実施例３でも、第１周波数帯の重要度が第２周波数帯よりも明らかに高い場合の実施例を示す。図５に、実施例３の移動通信端末のアンテナからフロントエンドまでの構成を示す。実施例２との違いは、サブダイプレクサをスイッチ部よりもサブフロントエンド側に配置したことである。この実施例でも、第１周波数帯の送信は、常にメインアンテナ１１０で行う（第１メインフロントエンド１５０は、常にメインアンテナ１１０に接続される）。
【００５１】
移動通信端末４００は、メインアンテナ１１０、サブアンテナ２１０、第１メインフロントエンド１５０、第１サブフロントエンド１６０、第２メインフロントエンド２５０、第２サブフロントエンド２６０、メインダイプレクサ１２０、サブダイプレクサ２２０、スイッチ部４３０を備え、第１周波数帯と第２周波数帯の２つの周波数帯で通信を行う。
【００５２】
メインアンテナ１１０、サブアンテナ２１０、第１メインフロントエンド１５０、第１サブフロントエンド１６０、第２メインフロントエンド２５０、第２サブフロントエンド２６０、メインダイプレクサ１２０は、実施例１，２と同じである。ただし、第１メイン入出力部１２１と第１メインフロントエンド１５０とが接続されている。
【００５３】
サブダイプレクサ２２０は、構成は実施例１，２と同じだが、外部との接続関係が異なる。第１サブ入出力部２２１は第１サブフロントエンド１６０に接続され、第２サブ入出力部２２２は第２サブフロントエンド２６０に接続され、サブアンテナ入出力部２２５がスイッチ部４３０に接続されている。
【００５４】
スイッチ部４３０は、第２メイン入出力部１２２を第２メインフロントエンド２５０に接続し、サブアンテナ２１０をサブアンテナ入出力部２２５に接続したストレート状態と、第２メイン入出力部１２２をサブアンテナ入出力部２２５に接続し、サブアンテナ２１０を第２メインフロントエンド２５０に接続したクロス状態とを切り替える。例えば、スイッチ部４３０は端子４３１，４３２，４３３，４３４を備え、端子４３１を第２メイン入出力部１２２に接続し、端子４３２をサブアンテナ２１０に接続し、端子４３３を第２メインフロントエンド２５０に接続し、端子４３４をサブアンテナ入出力部２２５に接続しておく。そして、端子４３１と端子４３３を接続し、端子４３２と端子４３４を接続した状態をストレート状態、端子４３１と端子４３４を接続し、端子４３２と端子４３３を接続した状態をクロス状態とすればよい。なお、スイッチ部４３０は、実施例１と同じように図２または図３に示した構成にすれば実現できる。
【００５５】
そして、移動通信端末４００は、スイッチ部４３０の状態を、第１周波数帯の送信電力、第２周波数帯の送信電力、第１周波数帯の受信性能、第２周波数帯の受信性能に基づいて決定する。具体的な決定方法を以下に説明する。なお、第１範囲、第２範囲の考え方は、実施例１と同じである。
【００５６】
＜制御方法＞
この制御方法でも、実施例２と同じように第１周波数帯の方が第２周波数帯よりも非常に重要であり、メインアンテナ１１０とサブアンテナ２１０が同等の特性を有するか、メインアンテナ１１０の方が、特性が良い場合を前提としている。この制御方法では、３つに場合分けして制御する。
【００５７】
（１）第１周波数帯の送信電力が第１範囲であり、第２周波数帯の送信電力が第２範囲のとき（第１周波数帯も第２周波数帯も送信電力が小さいとき）
移動通信端末４００は、スイッチ部４３０をストレート状態とする。理由は実施例１の１つめの制御方法の（１）と同じである。
【００５８】
（２）第１周波数帯の送信電力が第１範囲ではないとき（第１周波数帯の送信電力が大きいとき）
移動通信端末４００は、スイッチ部４３０をストレート状態とクロス状態のいずれにするかを、第２周波数帯の受信性能に基づいて決める。理由は実施例１の１つめの制御方法の（２）と同じである。なお、スイッチ部４３０をクロス状態にすると、メインダイプレクサ１２０が第１周波数帯の信号を減衰するので、第１サブフロントエンド１６０には第１周波数帯の受信信号はほとんど届かない。したがって、第１周波数帯でのＭＩＭＯによる通信は行えない。しかし、そもそも第１周波数帯の電波状態が悪いときなので、実際にはＭＩＭＯでの通信が行えないことによるデメリットはほとんどないと考えられる。
【００５９】
（３）第１周波数帯の送信電力が第１範囲であり、第２周波数帯の送信電力が第２範囲ではないとき（第１周波数帯の送信電力は小さいが、第２周波数帯の送信電力が大きいとき）
移動通信端末４００は、スイッチ部４３０をストレート状態とクロス状態のいずれにするかを、第１周波数帯の受信性能に基づいて決める。理由は実施例１の１つめの制御方法の（３）と同じである。なお、スイッチ部４３０をクロス状態にすると、メインダイプレクサ１２０が第１周波数帯の信号を減衰するので、第１サブフロントエンド１６０には第１周波数帯の受信信号はほとんど届かない。したがって、第１周波数帯でのＭＩＭＯによる通信は行えない。しかし、第１メインフロントエンド１５０への第２周波数帯の送信信号の漏れこみを防ぐことによるメリットの方が大きいと考えられる。
【００６０】
実施例３の移動通信端末４００によれば、２つの周波数帯で通信を行う場合に、送信信号の漏れこみを減衰させる方式を、送信電力と受信性能に応じて変更できる。したがって、移動通信端末を使用する環境に応じた適切な方式を選択できる。また、スイッチ部４３０をクロス状態にしたときには第１周波数帯でのＭＩＭＯによる通信は行えないが、実質的なデメリットはほとんどないと考えられる。
【符号の説明】
【００６１】
１００、３００、４００  移動通信端末    １１０  メインアンテナ
１２０  メインダイプレクサ              １２１  第１メイン入出力部
１２２  第２メイン入出力部              １２５  メインアンテナ入出力部
１３０  第１スイッチ部                  １５０  第１メインフロントエンド
１５１、２５１  送信部                  １５２、１６２、２５２、２６２  受信部
１５５、２５５  デュプレクサ            １６０  第１サブフロントエンド
２１０  サブアンテナ                    ２２０  サブダイプレクサ
２２１  第１サブ入出力部                ２２２  第２サブ入出力部
２２５  サブアンテナ入出力部            ２３０  第２スイッチ部
２５０  第２メインフロントエンド        ２６０  第２サブフロントエンド
３００  移動通信端末                    ３３０、４３０  スイッチ部
【図１】
0005615324.tif 000002
【図２】
0005615324.tif 000003
【図３】
0005615324.tif 000004
【図４】
0005615324.tif 000005
【図５】
0005615324.tif 000006